(57)【要約】【課題】操作者が貨幣等（紙幣や有価証券等の紙葉類、または硬貨）に直接手を触れずに当該貨幣等をエアシュータにより貨幣釣銭機から他の装置に搬送することができる貨幣釣銭機、貨幣処理システムおよび貨幣処理方法を提供する。【解決手段】エアシュータ１４に接続された貨幣釣銭機２０、２０ｍ、７０、７０ｍは、筐体２０ａ、７０ａの内部に設けられ、当該筐体２０ａ、７０ａの内部に投入された紙葉類や硬貨を搬送する搬送部２４、７４と、搬送部２４、７４に接続され、エアシュータ１４により搬送されるべきエアシュータ用収納部材１６に、搬送部２４、７４から送られた紙葉類や硬貨を収納する収納機構４０、４１、８２、８３と、を備えている。貨幣処理システム１０は、貨幣釣銭機２０、２０ｍ、７０、７０ｍと、エアシュータ１４と、貨幣釣銭機２０、２０ｍ、７０、７０ｍとは別の装置１２とを備えている。【選択図】図２
2011159017.tif 000002
【特許請求の範囲】
【請求項１】
エアシュータに接続された貨幣釣銭機であって、
筐体と、
前記筐体の外部から内部に紙葉類を投入するための投入口と、
前記筐体の内部に設けられ、前記投入口により前記筐体の内部に投入された紙葉類を搬送する搬送部と、
前記搬送部に設けられ、前記投入口により前記筐体の内部に投入された紙葉類の識別を選択的に行う識別部と、
前記筐体の内部に設けられ、前記識別部により識別された紙葉類のうち特定の金種の紙幣を釣銭として収納するとともに収納された紙幣を前記搬送部に繰り出す釣銭収納繰出部と、
前記搬送部に接続され、前記筐体の内部から外部に紙葉類を投出するための投出口と、
前記搬送部に接続され、前記エアシュータにより搬送されるべきエアシュータ用収納部材に、前記搬送部から送られた紙葉類を収納する収納機構と、
を備えたことを特徴とする貨幣釣銭機。
【請求項２】
前記収納機構は前記エアシュータに接続されており、当該収納機構は、この収納機構により紙葉類が収納されたエアシュータ用収納部材が直接的に前記エアシュータにより搬送されるよう構成されていることを特徴とする請求項１記載の貨幣釣銭機。
【請求項３】
前記収納機構は前記筐体内において前記搬送部に接続されており、当該収納機構は前記エアシュータから離間しており、前記収納機構は、この収納機構により紙葉類が収納されたエアシュータ用収納部材を前記筐体の外部に取出可能なように構成されていることを特徴とする請求項１記載の貨幣釣銭機。
【請求項４】
前記収納機構によりエアシュータ用収納部材に収納される紙葉類は、前記貨幣釣銭機において釣銭として使用される紙幣以外のものであることを特徴とする請求項１乃至３のいずれか一項に記載の貨幣釣銭機。
【請求項５】
前記収納機構により紙葉類が収納されるエアシュータ用収納部材には、当該エアシュータ用収納部材内の収納空間を閉止する扉をロックするロック部が設けられており、所定の条件でしか前記ロック部による前記扉のロックを解除することができないようになっていることを特徴とする請求項１乃至４のいずれか一項に記載の貨幣釣銭機。
【請求項６】
前記筐体内に設けられ、前記搬送部に接続された一時保留部であって、前記投入口により前記筐体の内部に投入され前記識別部により識別された紙葉類を一時的に保留する一時保留部を更に備え、
前記収納機構は、前記一時保留部から送られた紙葉類をエアシュータ用収納部材に収納するようになっていることを特徴とする請求項１乃至５のいずれか一項に記載の貨幣釣銭機。
【請求項７】
前記収納機構は、前記識別部から直接的に送られた紙葉類をエアシュータ用収納部材に収納するようになっていることを特徴とする請求項１乃至５のいずれか一項に記載の貨幣釣銭機。
【請求項８】
エアシュータ用収納部材には記憶部が設けられており、
前記収納機構には、当該収納機構によりエアシュータ用収納部材に収納された紙葉類の情報を前記記憶部に書き込む情報書き込み部が設けられていることを特徴とする請求項１乃至７のいずれか一項に記載の貨幣釣銭機。
【請求項９】
エアシュータ用収納部材は区分けされた複数の収納空間を有し、
前記収納機構は、エアシュータ用収納部材の各収納空間にそれぞれ紙葉類を収納することができるようになっていることを特徴とする請求項１乃至８のいずれか一項に記載の貨幣釣銭機。
【請求項１０】
少なくとも前記搬送部、前記釣銭収納繰出部および前記収納機構の制御を行う制御部を更に備え、
前記制御部は、（ａ）前記投入口により前記筐体の内部に投入された紙葉類を前記識別部により識別し、前記識別部による識別情報に基づいて紙葉類を前記収納機構、前記釣銭収納繰出部および前記投出口のいずれか一つに搬送する入金モード、および（ｂ）前記投入口により前記筐体の内部に投入された紙葉類を前記識別部により識別せず、直接的に前記収納機構に搬送するエアシュータ搬送モード、のうちのいずれか一方のモードを実行することを特徴とする請求項１乃至９のいずれか一項に記載の貨幣釣銭機。
【請求項１１】
前記貨幣釣銭機とは別の装置から、前記貨幣釣銭機において釣銭として使用される貨幣が収納されたエアシュータ用収納部材が前記エアシュータにより当該貨幣釣銭機に搬送されるようになっていることを特徴とする請求項１乃至１０のいずれか一項に記載の貨幣釣銭機。
【請求項１２】
エアシュータに接続された貨幣釣銭機であって、
筐体と、
前記筐体の外部から内部に硬貨を投入するための投入口と、
前記筐体の内部に設けられ、前記投入口により前記筐体の内部に投入された硬貨を搬送する搬送部と、
前記搬送部に設けられ、前記投入口により前記筐体の内部に投入された硬貨の識別を選択的に行う識別部と、
前記筐体の内部に設けられ、前記識別部により識別された硬貨のうち特定の金種の硬貨を釣銭として収納する釣銭収納繰出部と、
前記搬送部に接続され、前記釣銭収納繰出部に収納された硬貨を前記筐体の外部に硬貨を投出するための投出口と、
前記搬送部に接続され、前記エアシュータにより搬送されるべきエアシュータ用収納部材に、前記搬送部から送られた硬貨を収納する収納機構と、
を備えたことを特徴とする貨幣釣銭機。
【請求項１３】
請求項１乃至１２のいずれか一項に記載の貨幣釣銭機と、
前記貨幣釣銭機に接続されたエアシュータと、
前記エアシュータに接続された、前記貨幣釣銭機とは別の装置と、
を備え、
エアシュータ用収納部材が前記エアシュータにより前記貨幣釣銭機から前記別の装置に搬送されるようになっていることを特徴とする貨幣処理システム。
【請求項１４】
貨幣釣銭機の内部に紙葉類を投入する工程と、
前記貨幣釣銭機の内部に投入された紙葉類の識別を選択的に行う工程と、
識別された紙葉類のうち特定の金種の紙幣を釣銭収納繰出部に収納する工程と、
前記釣銭収納繰出部に収納された紙幣を当該釣銭収納繰出部から繰り出して前記貨幣釣銭機の外部に釣銭として投出する工程と、
前記貨幣釣銭機の内部に投入された紙葉類のうち少なくとも一部の紙葉類を収納機構に送る工程と、
前記収納機構により、前記貨幣釣銭機に接続されたエアシュータにより搬送されるべきエアシュータ用収納部材に、前記収納機構に送られた紙葉類を収納する工程と、
を備えたことを特徴とする貨幣処理方法。
【請求項１５】
貨幣釣銭機の内部に硬貨を投入する工程と、
前記貨幣釣銭機の内部に投入された硬貨の識別を選択的に行う工程と、
識別された硬貨のうち特定の金種の硬貨を釣銭収納繰出部に収納する工程と、
前記釣銭収納繰出部に収納された硬貨を前記貨幣釣銭機の外部に釣銭として投出する工程と、
前記貨幣釣銭機の内部に投入された硬貨のうち少なくとも一部の硬貨を収納機構に送る工程と、
前記収納機構により、前記貨幣釣銭機に接続されたエアシュータにより搬送されるべきエアシュータ用収納部材に、前記収納機構に送られた硬貨を収納する工程と、
を備えたことを特徴とする貨幣処理方法。
【請求項１６】
前記エアシュータにより、エアシュータ用収納部材を前記貨幣釣銭機から当該貨幣釣銭機とは別の装置に搬送する工程を更に備えたことを特徴とする請求項１４または１５記載の貨幣処理方法。
【発明の詳細な説明】
【技術分野】
【０００１】
本発明は、エアシュータに接続された貨幣釣銭機、この貨幣釣銭機およびエアシュータを備えた貨幣処理システム、ならびに貨幣処理方法に関する。
【背景技術】
【０００２】
従来から、例えば円筒状の収納部材の内部に紙幣や有価証券等の紙葉類、または硬貨を収納し、これらの紙葉類や硬貨が収納された収納部材をエアチューブに入れて当該エアチューブ内で空気圧により収納部材を搬送するようなエアシュータが知られている。例えば、引用文献１には、スーパーマーケット等の店舗に設けられたキャッシュレジスターで処理された貨幣を、このキャッシュレジスターから離間した出納室へ搬送するためのエアシュータが開示されている。
【先行技術文献】
【特許文献】
【０００３】
【特許文献１】欧州特許出願公開公報ＥＰ０  ０３４  ９４０Ａ１
【発明の概要】
【発明が解決しようとする課題】
【０００４】
このようなエアシュータを用いた際に、キャッシュレジスターで貨幣を入金する場合には、当該キャッシュレジスターで釣銭として使用される低額の紙幣等はこのキャッシュレジスター内に保管されるが、釣銭として使用されない高額の紙幣等はキャッシュレジスター内に保管されることなくエアシュータにより出納室へ搬送され、この出納室へ搬送された高額の紙幣は出納室において回収されるようになっている。
【０００５】
しかしながら、上述のような動作を行う際に、キャッシュレジスター内の貨幣等やエアシュータにより搬送される貨幣等は、操作者が手で直接扱うことにより管理しているため、セキュリティの面で望ましくないという問題がある。
【０００６】
本発明は、このような点を考慮してなされたものであり、操作者が貨幣等（紙幣や有価証券等の紙葉類、または硬貨）に直接手を触れずに当該貨幣等をエアシュータにより貨幣釣銭機から他の装置に搬送することができる貨幣釣銭機、貨幣処理システムおよび貨幣処理方法を提供することを目的とする。
【課題を解決するための手段】
【０００７】
本発明は、エアシュータに接続された貨幣釣銭機であって、筐体と、前記筐体の外部から内部に紙葉類を投入するための投入口と、前記筐体の内部に設けられ、前記投入口により前記筐体の内部に投入された紙葉類を搬送する搬送部と、前記搬送部に設けられ、前記投入口により前記筐体の内部に投入された紙葉類の識別を選択的に行う識別部と、前記筐体の内部に設けられ、前記識別部により識別された紙葉類のうち特定の金種の紙幣を釣銭として収納するとともに収納された紙幣を前記搬送部に繰り出す釣銭収納繰出部と、前記搬送部に接続され、前記筐体の内部から外部に紙葉類を投出するための投出口と、前記搬送部に接続され、前記エアシュータにより搬送されるべきエアシュータ用収納部材に、前記搬送部から送られた紙葉類を収納する収納機構と、を備えたことを特徴とする貨幣釣銭機である。
【０００８】
このような貨幣釣銭機によれば、エアシュータにより搬送されるべきエアシュータ用収納部材に、搬送部から送られた紙葉類を収納する収納機構が設けられている。このため、収納機構により、搬送部から送られた紙葉類がエアシュータ用収納部材に自動的に収納され、紙葉類が収納されたエアシュータ用収納部材はエアシュータにより貨幣釣銭機から他の装置に搬送されるようになるので、操作者が紙幣や有価証券等の紙葉類に直接手を触れずに当該紙葉類をエアシュータにより貨幣釣銭機から他の装置に搬送することができるようになり、セキュリティ性を向上させることができる。
【０００９】
本発明の貨幣釣銭機においては、前記収納機構は前記エアシュータに接続されており、当該収納機構は、この収納機構により紙葉類が収納されたエアシュータ用収納部材が直接的に前記エアシュータにより搬送されるよう構成されていてもよい。このことにより、操作者はエアシュータ用収納部材に直接手を触れることなく、紙葉類が収納されたエアシュータ用収納部材をエアシュータにより搬送することができるようになる。
【００１０】
あるいは、前記収納機構は前記筐体内において前記搬送部に接続されており、当該収納機構は前記エアシュータから離間しており、前記収納機構は、この収納機構により紙葉類が収納されたエアシュータ用収納部材を前記筐体の外部に取出可能なように構成されていてもよい。
【００１１】
本発明の貨幣釣銭機においては、前記収納機構によりエアシュータ用収納部材に収納される紙葉類は、前記貨幣釣銭機において釣銭として使用される紙幣以外のものであってもよい。
【００１２】
本発明の貨幣釣銭機においては、前記収納機構により紙葉類が収納されるエアシュータ用収納部材には、当該エアシュータ用収納部材内の収納空間を閉止する扉をロックするロック部が設けられており、所定の条件でしか前記ロック部による前記扉のロックを解除することができないようになっていてもよい。このようなロック部がエアシュータ用収納部材に設けられていることにより、エアシュータ用収納部材から紙葉類が第三者等により故意に取り出されてしまうことを防止することができ、セキュリティ性をより一層向上させることができる。
【００１３】
本発明の貨幣釣銭機においては、前記筐体内に設けられ、前記搬送部に接続された一時保留部であって、前記投入口により前記筐体の内部に投入され前記識別部により識別された紙葉類を一時的に保留する一時保留部を更に備え、前記収納機構は、前記一時保留部から送られた紙葉類をエアシュータ用収納部材に収納するようになっていてもよい。
【００１４】
あるいは、前記収納機構は、前記識別部から直接的に送られた紙葉類をエアシュータ用収納部材に収納するようになっていてもよい。
【００１５】
本発明の貨幣釣銭機においては、エアシュータ用収納部材には記憶部が設けられており、前記収納機構には、当該収納機構によりエアシュータ用収納部材に収納された紙葉類の情報を前記記憶部に書き込む情報書き込み部が設けられていてもよい。このことにより、エアシュータ用収納部材がエアシュータによって貨幣釣銭機とは別の装置に送られたときに、エアシュータ用収納部材の記憶部に書き込まれた情報を読み取ることによりこのエアシュータ用収納部材に収納された紙葉類の情報を確認することができるようになる。
【００１６】
本発明の貨幣釣銭機においては、エアシュータ用収納部材は区分けされた複数の収納空間を有し、前記収納機構は、エアシュータ用収納部材の各収納空間にそれぞれ紙葉類を収納することができるようになっていてもよい。このことにより、エアシュータ用収納部材に紙葉類を例えば券種別や金種別に収納することができるようになる。
【００１７】
本発明の貨幣釣銭機においては、少なくとも前記搬送部、前記釣銭収納繰出部および前記収納機構の制御を行う制御部を更に備え、前記制御部は、（ａ）前記投入口により前記筐体の内部に投入された紙葉類を前記識別部により識別し、前記識別部による識別情報に基づいて紙葉類を前記収納機構、前記釣銭収納繰出部および前記投出口のいずれか一つに搬送する入金モード、および（ｂ）前記投入口により前記筐体の内部に投入された紙葉類を前記識別部により識別せず、直接的に前記収納機構に搬送するエアシュータ搬送モード、のうちのいずれか一方のモードを実行するようになっていてもよい。このことにより、エアシュータにより全ての紙葉類を貨幣釣銭機から当該貨幣釣銭機とは別の装置に搬送したい場合には、エアシュータ搬送モードを選択することにより、貨幣釣銭機における紙葉類の処理時間を短縮することができる。
【００１８】
本発明の貨幣釣銭機においては、前記貨幣釣銭機とは別の装置から、前記貨幣釣銭機において釣銭として使用される貨幣が収納されたエアシュータ用収納部材が前記エアシュータにより当該貨幣釣銭機に搬送されるようになっていてもよい。
【００１９】
本発明は、エアシュータに接続された貨幣釣銭機であって、筐体と、前記筐体の外部から内部に硬貨を投入するための投入口と、前記筐体の内部に設けられ、前記投入口により前記筐体の内部に投入された硬貨を搬送する搬送部と、前記搬送部に設けられ、前記投入口により前記筐体の内部に投入された硬貨の識別を選択的に行う識別部と、前記筐体の内部に設けられ、前記識別部により識別された硬貨のうち特定の金種の硬貨を釣銭として収納する釣銭収納繰出部と、前記搬送部に接続され、前記釣銭収納繰出部に収納された硬貨を前記筐体の外部に硬貨を投出するための投出口と、前記搬送部に接続され、前記エアシュータにより搬送されるべきエアシュータ用収納部材に、前記搬送部から送られた硬貨を収納する収納機構と、を備えたことを特徴とする貨幣釣銭機である。
【００２０】
このような貨幣釣銭機によれば、エアシュータにより搬送されるべきエアシュータ用収納部材に、搬送部から送られた硬貨を収納する収納機構が設けられている。このため、収納機構により、搬送部から送られた硬貨がエアシュータ用収納部材に自動的に収納され、硬貨が収納されたエアシュータ用収納部材はエアシュータにより貨幣釣銭機から他の装置に搬送されるようになるので、操作者が硬貨に直接手を触れずに当該硬貨をエアシュータにより貨幣釣銭機から他の装置に搬送することができるようになり、セキュリティ性を向上させることができる。
【００２１】
本発明は、上述のような貨幣釣銭機と、前記貨幣釣銭機に接続されたエアシュータと、前記エアシュータに接続された、前記貨幣釣銭機とは別の装置と、を備え、エアシュータ用収納部材が前記エアシュータにより前記貨幣釣銭機から前記別の装置に搬送されるようになっていることを特徴とする貨幣処理システムである。
【００２２】
本発明は、貨幣釣銭機の内部に紙葉類を投入する工程と、前記貨幣釣銭機の内部に投入された紙葉類の識別を選択的に行う工程と、識別された紙葉類のうち特定の金種の紙幣を釣銭収納繰出部に収納する工程と、前記釣銭収納繰出部に収納された紙幣を当該釣銭収納繰出部から繰り出して前記貨幣釣銭機の外部に釣銭として投出する工程と、前記貨幣釣銭機の内部に投入された紙葉類のうち少なくとも一部の紙葉類を収納機構に送る工程と、前記収納機構により、前記貨幣釣銭機に接続されたエアシュータにより搬送されるべきエアシュータ用収納部材に、前記収納機構に送られた紙葉類を収納する工程と、を備えたことを特徴とする貨幣処理方法である。
【００２３】
このような貨幣処理方法によれば、貨幣釣銭機の内部に投入された紙葉類のうち少なくとも一部の紙葉類を収納機構に送り、この収納機構により、貨幣釣銭機に接続されたエアシュータにより搬送されるべきエアシュータ用収納部材に、収納機構に送られた紙葉類を収納するようになっている。このため、収納機構により、貨幣釣銭機の内部に投入された紙葉類のうち少なくとも一部の紙葉類がエアシュータ用収納部材に自動的に収納され、紙葉類が収納されたエアシュータ用収納部材はエアシュータにより貨幣釣銭機から他の装置に搬送されるようになるので、操作者が紙幣や有価証券等の紙葉類に直接手を触れずに当該紙葉類をエアシュータにより貨幣釣銭機から他の装置に搬送することができるようになり、セキュリティ性を向上させることができる。
【００２４】
本発明は、貨幣釣銭機の内部に硬貨を投入する工程と、前記貨幣釣銭機の内部に投入された硬貨の識別を選択的に行う工程と、識別された硬貨のうち特定の金種の硬貨を釣銭収納繰出部に収納する工程と、前記釣銭収納繰出部に収納された硬貨を前記貨幣釣銭機の外部に釣銭として投出する工程と、前記貨幣釣銭機の内部に投入された硬貨のうち少なくとも一部の硬貨を収納機構に送る工程と、前記収納機構により、前記貨幣釣銭機に接続されたエアシュータにより搬送されるべきエアシュータ用収納部材に、前記収納機構に送られた硬貨を収納する工程と、を備えたことを特徴とする貨幣処理方法である。
【００２５】
このような貨幣処理方法によれば、貨幣釣銭機の内部に投入された硬貨のうち少なくとも一部の硬貨を収納機構に送り、この収納機構により、貨幣釣銭機に接続されたエアシュータにより搬送されるべきエアシュータ用収納部材に、収納機構に送られた硬貨を収納するようになっている。このため、収納機構により、貨幣釣銭機の内部に投入された硬貨のうち少なくとも一部の硬貨がエアシュータ用収納部材に自動的に収納され、硬貨が収納されたエアシュータ用収納部材はエアシュータにより貨幣釣銭機から他の装置に搬送されるようになるので、操作者が硬貨に直接手を触れずに当該硬貨をエアシュータにより貨幣釣銭機から他の装置に搬送することができるようになり、セキュリティ性を向上させることができる。
【００２６】
本発明の貨幣処理方法においては、前記エアシュータにより、エアシュータ用収納部材を前記貨幣釣銭機から当該貨幣釣銭機とは別の装置に搬送する工程を更に備えていてもよい。
【発明の効果】
【００２７】
本発明の貨幣釣銭機、貨幣処理システムおよび貨幣処理方法によれば、操作者が貨幣等（紙幣や有価証券等の紙葉類、または硬貨）に直接手を触れずに当該貨幣等をエアシュータにより貨幣釣銭機から他の装置に搬送することができる。
【図面の簡単な説明】
【００２８】
【図１】本発明の一の実施の形態による貨幣処理システムの構成を概略的に示す概略構成図である。
【図２】図１に示す貨幣処理システムにおける貨幣釣銭機の構成を示す構成図である。
【図３】図１に示す貨幣処理システムにおけるエアシュータにより搬送される収納部材の構成を示す概略斜視図である。
【図４】図２に示す貨幣釣銭機における収納機構の構成を示す構成図である。
【図５】図２に示す貨幣釣銭機における収納機構の他の構成を示す構成図である。
【図６】図２に示す貨幣釣銭機における収納機構の更に他の構成を示す構成図である。
【図７】図２に示す貨幣釣銭機の制御ブロック図である。
【図８】図２に示す貨幣釣銭機の動作を示すフローチャートである。
【図９】変形例に係る収納部材の構成を示す概略斜視図である。
【図１０】変形例に係る収納部材および収納機構の構成を示す構成図である。
【図１１】変形例に係る貨幣釣銭機の構成を示す構成図である。
【図１２】変形例に係る、釣銭として硬貨の出金を行う貨幣釣銭機の構成を示す構成図である。
【図１３】変形例に係る、釣銭として硬貨の出金を行う貨幣釣銭機の他の構成を示す構成図である。
【発明を実施するための形態】
【００２９】
以下、図面を参照して本発明の一の実施の形態について説明する。図１乃至図８は、本実施の形態に係る貨幣処理システムおよびこの貨幣処理システムに設けられた貨幣釣銭機を示す図である。
【００３０】
まず、本実施の形態による貨幣処理システム１０の構成について図１を用いて説明する。図１に示すように、出納室１７には金庫１２が設けられており、また、この出納室１７とは別の場所に配置されたレジライン１８には複数の貨幣釣銭機２０が設けられている。そして、各貨幣釣銭機２０と金庫１２との間にはエアシュータ（気送管システム）１４が設置されている。より具体的には、エアシュータ１４は、各貨幣釣銭機２０および金庫１２にそれぞれ接続されたエアチューブを有しており、紙幣や有価証券等の紙葉類、または硬貨が収納された円筒状の収納部材（カプセル）１６がエアチューブ内で空気圧により各貨幣釣銭機２０と金庫１２との間で搬送されるようになっている。
【００３１】
更に詳しく説明すると、例えば各貨幣釣銭機２０から金庫１２に紙幣や硬貨等を搬送してこの金庫１２に搬送された紙幣や硬貨等を回収したい場合には、回収されるべき紙幣や硬貨等が各貨幣釣銭機２０において収納部材１６に収納され、この収納部材１６がエアシュータ１４により各貨幣釣銭機２０から金庫１２に搬送され、出納室１７において収納部材１６から紙幣や硬貨等が取り出されてこの取り出された紙幣や硬貨等が回収される。一方、例えば金庫１２に保管された紙幣や硬貨等を各貨幣釣銭機２０に釣銭として補充したい場合には、補充されるべき紙幣や硬貨が金庫１２において収納部材１６に収納され、この収納部材１６がエアシュータ１４により金庫１２から各貨幣釣銭機２０に搬送され、レジライン１８において収納部材１６から紙幣や硬貨等が取り出されてこの取り出された紙幣や硬貨等が各貨幣釣銭機２０に釣銭として収納される。
【００３２】
エアシュータ１４により搬送される収納部材１６の構成について、図３を用いて詳細に説明する。図３（ａ）〜（ｃ）は、収納部材１６の様々な構成例を示す斜視図である。収納部材１６としては、様々なタイプのものを用いることができるが、一例として、図３（ａ）に示すような収納部材１６が用いられる。図３（ａ）に示す収納部材１６は、中空の円筒形状のものからなり、側面には長手方向に延びる細長いスリット１６ａが設けられている。このスリット１６ａの長さは、収納部材１６に収納されるべき紙葉類の長さよりも大きくなっており、当該スリット１６ａを介して収納部材１６の内部に紙葉類が投入されるようになっている。
【００３３】
また、収納部材１６の他の構成例を図３（ｂ）（ｃ）に示す。図３（ｂ）（ｃ）に示すような収納部材１６では、当該収納部材１６の側面にスリット１６ａを設ける代わりに、収納部材１６の側面に開口１６ｃを設けるとともにこの開口１６ｃを塞ぐような左右一対の扉１６ｂを設けている。左右一対の扉１６ｂは、図３（ｃ）に示すようにそれぞれ収納部材１６の内側に開くよう移動可能となっており、各扉１６ｂが収納部材１６の内側に移動することにより開口１６ｃを介して紙葉類を収納部材１６の内部に投入することができるようになる。これらの扉１６ｂにはそれぞれバネが設けられており、各バネにより各扉１６ｂに対して常に閉方向に働く力が付勢されるようになっている。このため、各扉１６ｂを開く際には、これらの扉１６ｂに設けられたバネの収縮力に逆らって各扉１６ｂを収納部材１６の内側に移動させることとなる。
【００３４】
また、図３（ａ）〜（ｃ）に示すように、収納部材１６には例えばＩＣタグ等からなる記憶部１６ｍが設けられている。この記憶部１６ｍには、対応する貨幣釣銭機２０のシリアル番号や、収納部材１６に収納された紙葉類の情報、具体的には紙葉類の券種（紙幣、有価証券（例えば小切手や商品券）、ＩＤ媒体（例えばレシート）等）や金種（紙葉類が紙幣である場合）、券種毎や金種毎の収納枚数、正損情報、記番号等が記憶されるようになっている。
【００３５】
次に、貨幣釣銭機２０の具体的な構成について図２および図４乃至図７を用いて説明する。なお、図２および図４乃至図７においては、貨幣釣銭機２０として紙幣釣銭機を用いた場合について説明している。貨幣釣銭機２０として硬貨釣銭機を用いた場合の態様については後に説明する。
【００３６】
図２に示すように、貨幣釣銭機２０は、略直方体形状の筐体２０ａと、筐体２０ａの外部から内部に紙幣や有価証券等の紙葉類を投入するための投入口２２と、筐体２０ａの内部に設けられ、投入口２２により筐体２０ａの内部に投入された紙葉類を１枚ずつ搬送する搬送部２４と、搬送部２４に接続され、筐体２０ａの内部から外部に紙葉類を投出するための投出口２８と、を備えている。図２に示すように、エアシュータ１４の端部は、貨幣釣銭機２０の筐体２０ａの外側面の近傍に設けられている。あるいは、エアシュータ１４の端部は、貨幣釣銭機２０の筐体２０ａの外側面に取り付けられていてもよい。
【００３７】
投入口２２には、当該投入口２２に投入された紙葉類を筐体２０ａの内部に１枚ずつ繰り出す繰出機構２２ａが設けられている。また、搬送部２４には識別部２６が設けられており、この識別部２６により、筐体２０ａの内部に投入された紙葉類の識別が選択的に行われるようになっている。また、筐体２０ａの内部には４つの釣銭収納繰出部３０が設けられており、各釣銭収納繰出部３０はそれぞれ搬送部２４に接続されている。そして、識別部２６により識別された紙葉類のうち特定の金種の紙幣が釣銭として各釣銭収納繰出部３０に金種別に収納されるようになっている。また、各釣銭収納繰出部３０は、当該釣銭収納繰出部３０に収納された紙幣を搬送部２４に繰り出すことができるようになっている。
【００３８】
また、筐体２０ａの内部には一時保留部３２が設けられており、この一時保留部３２は搬送部２４に接続されている。そして、投入口２２により筐体２０ａの内部に投入され識別部２６により識別された紙葉類は一時保留部３２に一時的に保留されるようになっている。また、一時保留部３２は、当該一時保留部３２に保留された紙葉類を搬送部２４に繰り出すことができるようになっている。
【００３９】
各釣銭収納繰出部３０および一時保留部３２は、それぞれドラム式の収納繰出機構を有している。より詳細には、各釣銭収納繰出部３０および一時保留部３２には、それぞれ正逆両方向に回転可能なドラムが設けられており、各ドラムに一対のテープが巻き取られるようになっている。そして、搬送部２４から各釣銭収納繰出部３０および一時保留部３２の各々に送られた紙葉類は、この一対のテープの間に挟まれた状態で１枚ずつ順次ドラムにより巻き取られて収納されるようになっている。一方、紙葉類の繰り出しを行う際には、各ドラムが収納の際の回転方向とは反対方向に回転することにより、各ドラムに巻き取られた一対のテープがこのドラムから解放され、一対のテープの間に挟まれた紙葉類は１枚ずつ搬送部２４に繰り出されることとなる。
【００４０】
なお、各釣銭収納繰出部３０および一時保留部３２は、上述のような、ドラムおよび一対のテープからなり紙葉類が一対のテープの間に挟まれた状態でこの一対のテープごとドラムにより巻き取られるような構成のものに限定されることはなく、他の構成とすることもできる。例えば、各釣銭収納繰出部３０および一時保留部３２をスタッカ式（積層式）のものとしてもよい。
【００４１】
また、筐体２０ａの内部において搬送部２４には収納機構４０が接続されている。この収納機構４０は、搬送部２４から送られた紙葉類を、貨幣釣銭機２０の近傍におけるエアシュータ１４の端部に待機しており当該エアシュータ１４により搬送されるべき収納部材１６に、収納するようになっている。より詳細には、収納機構４０はエアシュータ１４の端部に接続されており、当該収納機構４０は、この収納機構４０により紙葉類が収納された収納部材１６が直接的にエアシュータ１４により搬送されるよう構成されている。このような収納機構４０の構成の様々な例について、図４乃至図６を用いて説明する。
【００４２】
図４に、収納機構４０の一の構成例を示す。図４に示すように、収納機構４０は、上下一対の搬送ベルト４２を有しており、搬送部２４から収納機構４０に送られた紙葉類Ｓはこれらの上下一対の搬送ベルト４２の間に積層状態で集積されるようになっている。各搬送ベルト４２は、それぞれ一対のローラに張架された無端状の循環ベルトからなり、一対のローラのうち一方のローラが回転駆動されることにより搬送ベルト４２は図４の矢印に示す方向に循環移動するようになっている。そして、１または複数の紙葉類Ｓが積層状態で上下一対の搬送ベルト４２の間に集積された後、各搬送ベルト４２が図４の矢印に示す方向に循環移動することにより、貨幣釣銭機２０の近傍におけるエアシュータ１４の端部で待機している収納部材１６に１または複数の紙葉類Ｓが一括して搬送され、収納部材１６に収納されることとなる。
【００４３】
図５に、収納機構４０の他の構成例を示す。図５に示すように、収納機構４０は、可撓性を有する羽根が外周面に複数設けられた羽根車４４と、羽根車４４に対向するよう設けられた対向ローラ４６と、紙葉類Ｓが一時的に集積される集積部４８と、集積部４８に集積された紙葉類Ｓをエアシュータ１４側に押し出す押し出し部材５０とを有している。搬送部２４から収納機構４０に送られた紙葉類Ｓは、羽根車４４と対向ローラ４６との間の隙間を通って集積部４８に積層状態で集積され、この際に羽根車４４に設けられた羽根が紙葉類Ｓの後端縁を叩くことにより集積部４８で紙葉類が整列されるようになっている。そして、１または複数の紙葉類Ｓが積層状態で集積部４８上に集積された後、押し出し部材５０が図５の矢印に示す方向に移動することにより集積された紙葉類Ｓがエアシュータ１４側に押し出され、貨幣釣銭機２０の近傍におけるエアシュータ１４の端部で待機している収納部材１６に１または複数の紙葉類Ｓが一括して搬送され、収納部材１６に収納されることとなる。
【００４４】
図６に、収納機構４０の更に他の構成例を示す。図６に示すように、収納機構４０は、ドラム式の収納繰出機構５２と、収納繰出機構５２からエアシュータ１４に紙葉類を１枚ずつ搬送する搬送機構５４とを有している。この収納繰出機構５２は、各釣銭収納繰出部３０や一時保留部３２に設けられた収納繰出機構と同様の構成となっており、搬送部２４から送られた紙葉類Ｓを１枚ずつ収納するとともに、収納された紙葉類Ｓを１枚ずつ繰り出すことができるようになっている。ドラム式の収納繰出機構５２から繰り出された紙葉類Ｓは、搬送機構５４により、貨幣釣銭機２０の近傍におけるエアシュータ１４の端部で待機している収納部材１６に１枚ずつ搬送され、この収納部材１６に１枚ずつ収納されるようになっている。
【００４５】
図４乃至図６を用いて収納機構４０の様々な構成例について説明したが、搬送部２４から送られた紙葉類を、貨幣釣銭機２０の近傍におけるエアシュータ１４の端部で待機している収納部材１６に収納することができるものであれば、収納機構４０として、図４乃至図６に示す構成以外のものを用いてもよい。
【００４６】
図７に示すように、貨幣釣銭機２０には制御部６０が設けられている。この制御部６０は筐体２０ａの内部に配置されており、繰出機構２２ａ、搬送部２４、識別部２６、釣銭収納繰出部３０、一時保留部３２、収納機構４０等の各々に接続されている。そして、識別部２６による紙葉類の識別情報に係る信号が制御部６０に送られるとともに、制御部６０は繰出機構２２ａ、搬送部２４、釣銭収納繰出部３０、一時保留部３２、収納機構４０等の各構成要素に指令信号を送りこれらの構成要素の制御を行うようになっている。制御部６０による具体的な制御内容については後述する。
【００４７】
また、図７に示すように、制御部６０にはインターフェース６２が接続されており、このインターフェース６２を介して制御部６０は貨幣釣銭機２０の外部にある上位装置等と信号の送受信を行うことができるようになっている。上位装置としては、レジライン１８に設けられたＰＯＳレジスタや、出納室１７に設けられた在高管理ソフトウェア、無線端末等が挙げられる。とりわけ、制御部６０はインターフェース６２を介して出納室１７に設けられた在高管理ソフトウェアと信号の送受信を行うことができるようになっているので、エアシュータ１４により貨幣釣銭機２０から金庫１２に送られた収納部材１６に収納された紙葉類の在高の情報をレジライン１８から出納室１７に送信することが可能となり、出納室１７において実際に収納部材１６から取り出された紙葉類の在高と制御部６０から送信された情報における紙葉類の在高とを照合することができるようになる。
【００４８】
また、図７に示すように、収納機構４０には、収納部材１６の記憶部１６ｍに情報を書き込むための情報書き込み部４０ｗが設けられている。情報書き込み部４０ｗは、収納部材１６の記憶部１６ｍに対して、貨幣釣銭機２０のシリアル番号や、収納部材１６に収納された紙葉類の情報、具体的には紙葉類の券種（紙幣、有価証券（例えば小切手や商品券）、ＩＤ媒体（例えばレシート）等）や金種（紙葉類が紙幣である場合）、券種毎や金種毎の収納枚数、正損情報、記番号等を書き込むようになっている。
【００４９】
次に、このような構成からなる貨幣釣銭機２０、ならびに貨幣釣銭機２０およびエアシュータ１４を備えた貨幣処理システム１０の動作を説明する。
【００５０】
まず、貨幣釣銭機２０の動作について図８を用いて説明する。図８は、貨幣釣銭機２０の動作を示すフローチャートである。
【００５１】
貨幣釣銭機２０の制御部６０において、紙葉類の処理モードとして、入金モード、出金モードおよびエアシュータ搬送モードがそれぞれ予め設けられている。ここで、入金モードとは、投入口２２により筐体２０ａの内部に投入された紙葉類を識別部２６により識別し、識別部２６による識別情報に基づいて紙葉類を収納機構４０、釣銭収納繰出部３０および投出口２８のいずれか一つに搬送するモードのことをいう。また、出金モードとは、釣銭収納繰出部３０から釣銭としての紙幣を搬送部２４に繰り出し、繰り出された紙幣を投出口２８に搬送するモードのことをいう。また、エアシュータ搬送モードとは、投入口２２により筐体２０ａの内部に投入された紙葉類を識別部２６により識別せず、直接的に収納機構４０に搬送するモードのことをいう。以下、貨幣釣銭機２０の具体的な動作について図８に示すフローチャートを用いて説明する。
【００５２】
まず、例えば貨幣釣銭機２０の筐体２０ａに取り付けられたタッチパネル等の操作部（図示せず）により操作者がどの処理モードを行うかを入力する。制御部６０は、操作者により入力された処理モードがどの処理モードであるかの判断を行う。具体的には、操作者により入力された処理モードが入金モードである場合には（図８のＳＴＥＰ１の「ＹＥＳ」）、貨幣釣銭機２０において以下に示すような入金処理が行われる。
【００５３】
貨幣釣銭機２０において入金処理を行うにあたり、まず、操作者は紙幣、有価証券、ＩＤ媒体等を含む紙葉類を貨幣釣銭機２０の投入口２２に投入する。また、制御部６０において、投入された紙葉類のうち釣銭として貨幣釣銭機２０内に収納されるべき紙幣の金種毎の枚数や合計金額等が設定される。
【００５４】
投入口２２に紙葉類が投入された後、操作者が操作部により処理開始の指令を制御部６０に与えると、投入口２２に投入された紙葉類は１枚ずつ繰出機構２２ａにより筐体２０ａの内部に繰り出され、搬送部２４により１枚ずつ搬送される（図８のＳＴＥＰ２）。そして、筐体２０ａの内部に繰り出され、搬送部２４により搬送される紙葉類は識別部２６によりその券種（紙幣、有価証券（例えば小切手や商品券）、ＩＤ媒体（例えばレシート）等）、金種（紙葉類が紙幣である場合）、真偽、正損、記番号等が識別される。ここで、識別部２６により識別することができなかった紙葉類や、紙幣、有価証券、ＩＤ媒体等ではないと識別された紙葉類、または偽券等であると識別された紙幣は、リジェクト紙葉類として投出口２８に搬送され、操作者により投出口２８から取り出されることとなる。また、識別部２６により識別された紙葉類がリジェクト紙葉類ではない場合には、この紙葉類は一時保留部３２に搬送され、この一時保留部３２で一時的に保留される（図８のＳＴＥＰ３）。そして、投入口２２から全ての紙葉類が筐体２０ａの内部に投入され、一時保留部３２に一時的に保留されると（図８のＳＴＥＰ４の「ＹＥＳ」）、一時保留部３２から紙葉類が搬送部２４に１枚ずつ繰り出される（図８のＳＴＥＰ５）。
【００５５】
一時保留部３２から繰り出された紙葉類が、制御部６０において釣銭として設定された所定の金種の紙幣であり（図８のＳＴＥＰ６の「ＹＥＳ」）、かつ、この繰り出された紙葉類（紙幣）の金種に対応する釣銭が未だ釣銭収納繰出部３０に十分に収納されていない場合には（図８のＳＴＥＰ７の「ＮＯ」）、一時保留部３２から繰り出された紙葉類は釣銭として金種毎に釣銭収納繰出部３０に収納される（図８のＳＴＥＰ８）。より具体的には、例えば制御部６０において貨幣釣銭機２０内に釣銭として千円札を１００枚収納させることが設定されていた場合において、一時保留部３２から繰り出された紙葉類が千円札であり、かつ今回の取引において釣銭として貨幣釣銭機２０内に収納された千円札が１００枚未満であるときには、一時保留部３２から繰り出された千円札は、千円札に対応する釣銭収納繰出部３０に収納されることとなる。
【００５６】
一方、一時保留部３２から繰り出された紙葉類が、制御部６０において釣銭として設定された所定の金種の紙幣であっても（図８のＳＴＥＰ６の「ＹＥＳ」）、この繰り出された紙葉類（紙幣）の金種に対応する釣銭が既に釣銭収納繰出部３０に十分に収納されている場合には（図８のＳＴＥＰ７の「ＹＥＳ」）、一時保留部３２から繰り出された紙葉類はオーバーフロー紙幣として収納機構４０に搬送される（図８のＳＴＥＰ９）。より具体的には、例えば制御部６０において貨幣釣銭機２０内に釣銭として千円札を１００枚収納させることが設定されていた場合において、一時保留部３２から繰り出された紙葉類が千円札であり、かつ今回の取引において釣銭として貨幣釣銭機２０内に収納された千円札が既に１００枚に達しているときには、一時保留部３２から繰り出された千円札は収納機構４０に搬送されることとなる。
【００５７】
また、一時保留部３２から繰り出された紙葉類（紙幣）の金種に対応する釣銭が未だ釣銭収納繰出部３０に十分に収納されていない場合でも、この紙幣の金種に対応する釣銭収納繰出部３０がフル状態またはニアフル状態である場合には、一時保留部３２から繰り出された紙葉類は釣銭収納繰出部３０ではなく収納機構４０に搬送されることとなる。また、制御部６０において、投入された紙葉類のうち釣銭として貨幣釣銭機２０内に収納されるべき紙幣の合計金額が設定されている場合には、一時保留部３２から繰り出された紙幣のうち、制御部６０において釣銭として貨幣釣銭機２０内に収納されるべき紙幣の合計金額を超える分については、釣銭収納繰出部３０ではなく収納機構４０に搬送される。
【００５８】
また、一時保留部３２から繰り出された紙葉類が、制御部６０において釣銭として設定された所定の金種の紙幣ではない場合にも（図８のＳＴＥＰ６の「ＮＯ」）、この紙葉類は収納機構４０に搬送される（図８のＳＴＥＰ９）。
【００５９】
上述のような図８のＳＴＥＰ５〜ＳＴＥＰ９に示される動作は、一時保留部３２から全ての紙葉類が繰り出されるまで行われる（図８のＳＴＥＰ１０の「ＮＯ」）。一時保留部３２から全ての紙葉類が繰り出され、収納機構４０、釣銭収納繰出部３０または投出口２８に搬送されると（図８のＳＴＥＰ１０の「ＹＥＳ」）、収納機構４０は、当該収納機構４０に送られた紙葉類を、貨幣釣銭機２０の近傍におけるエアシュータ１４の端部に待機している収納部材１６に収納する（図８のＳＴＥＰ１８）。このようにして、貨幣釣銭機２０における一連の入金処理が終了する。
【００６０】
次に、操作者により入力された処理モードが出金モードである場合について説明する。操作者により入力された処理モードが出金モードである場合には（図８のＳＴＥＰ１１の「ＹＥＳ」）、貨幣釣銭機２０において以下に示すような出金処理が行われる。
【００６１】
制御部６０において処理モードとして出金モードが設定された場合に、操作者が操作部により処理開始の指令を制御部６０に与えると、出金すべき釣銭の金種に対応する釣銭収納繰出部３０から１枚ずつ紙幣が搬送部２４に繰り出され、繰り出された紙幣は搬送部２４により投出口２８に搬送される（図８のＳＴＥＰ１２）。このような動作は、投出口２８に所定の金種の紙幣が金種毎に設定された所定枚数分だけ送られるまで行われる（図８のＳＴＥＰ１３の「ＮＯ」）。そして、投出口２８に所定の金種の紙幣が金種毎に設定された所定枚数分だけ送られると（図８のＳＴＥＰ１３の「ＹＥＳ」）、釣銭の出金処理は完了する。その後、操作者は、投出口２８から釣銭としての紙幣を取り出すこととなる。
【００６２】
次に、操作者により入力された処理モードがエアシュータ搬送モードである場合について説明する。操作者により入力された処理モードがエアシュータ搬送モードである場合には（図８のＳＴＥＰ１４の「ＹＥＳ」）、貨幣釣銭機２０において以下に示すような処理が行われる。
【００６３】
貨幣釣銭機２０においてエアシュータ搬送モードに関する処理を行うにあたり、まず、操作者は紙幣、有価証券、ＩＤ媒体等を含む紙葉類を貨幣釣銭機２０の投入口２２に投入する。投入口２２に紙葉類が投入された後、操作者が操作部により処理開始の指令を制御部６０に与えると、投入口２２に投入された紙葉類は１枚ずつ繰出機構２２ａにより筐体２０ａの内部に繰り出され、搬送部２４により１枚ずつ搬送される（図８のＳＴＥＰ１５）。そして、筐体２０ａの内部に繰り出された紙葉類は、識別部２６により識別されることなく、全て収納機構４０に搬送される（図８のＳＴＥＰ１６）。このような処理は投入口２２から全ての紙葉類が筐体２０ａの内部に投入されるまで行われる（図８のＳＴＥＰ１７の「ＮＯ」）。そして、投入口２２から全ての紙葉類が筐体２０ａの内部に投入され、収納機構４０に搬送されると（図８のＳＴＥＰ１７の「ＹＥＳ」）、収納機構４０は、当該収納機構４０に送られた紙葉類を、貨幣釣銭機２０の近傍におけるエアシュータ１４の端部に待機している収納部材１６に収納する（図８のＳＴＥＰ１８）。このようにして、貨幣釣銭機２０におけるエアシュータ搬送モードに関する処理が終了する。
【００６４】
次に、エアシュータ１４の動作について説明する。図８のＳＴＥＰ１８に示すように、貨幣釣銭機２０の近傍におけるエアシュータ１４の端部に待機している収納部材１６に紙葉類が収納された後、エアシュータ１４は、紙葉類が収納された収納部材１６を空気圧により貨幣釣銭機２０から金庫１２に搬送する。その後、出納室１７において当該金庫１２に搬送された収納部材１６から紙葉類が取り出され、この取り出された紙葉類は金庫１２に収納される。また、貨幣釣銭機２０の制御部６０と通信接続された在高管理ソフトウェアが出納室１７に設けられている場合には、この在高管理ソフトウェアを用いて、貨幣釣銭機２０の制御部６０から送信された、収納部材１６に収納された紙葉類の在高と、出納室１７において実際に収納部材１６から取り出された紙葉類の在高との照合が行われる。
【００６５】
以上のように本実施の形態の貨幣釣銭機２０によれば、エアシュータ１４により搬送されるべき収納部材１６に、搬送部２４から送られた紙葉類を収納する収納機構４０が設けられている。このため、収納機構４０により、搬送部２４から送られた紙葉類が収納部材１６に自動的に収納され、紙葉類が収納された収納部材１６はエアシュータ１４により貨幣釣銭機２０から他の装置に搬送されるようになるので、操作者が紙幣や有価証券等の紙葉類に直接手を触れずに当該紙葉類をエアシュータ１４により貨幣釣銭機２０から他の装置に搬送することができるようになり、セキュリティ性を向上させることができる。
【００６６】
また、本実施の形態の貨幣釣銭機２０においては、収納機構４０はエアシュータ１４に接続されており、当該収納機構４０は、この収納機構４０により紙葉類が収納された収納部材１６が直接的にエアシュータ１４により搬送されるよう構成されている。このため、操作者は収納部材１６に直接手を触れることなく、紙葉類が収納された収納部材１６をエアシュータ１４により搬送することができるようになる。
【００６７】
また、本実施の形態の貨幣釣銭機２０においては、収納機構４０により収納部材１６に収納される紙葉類は、貨幣釣銭機２０において釣銭として使用される紙葉類以外のものとなっている。具体的には、収納機構４０により収納部材１６に収納される紙葉類として、高額紙幣や有価証券（例えば小切手や商品券）、ＩＤ媒体（例えばレシート）等が挙げられる。
【００６８】
また、本実施の形態の貨幣釣銭機２０においては、筐体２０ａ内に一時保留部３２が設けられており、この一時保留部３２は、投入口２２により筐体２０ａの内部に投入され識別部２６により識別された紙葉類を一時的に保留するようになっている（図８のＳＴＥＰ３）。そして、収納機構４０は、一時保留部３２から送られた紙葉類を収納部材１６に収納するようになっている。
【００６９】
また、本実施の形態の貨幣釣銭機２０においては、収納部材１６には記憶部１６ｍが設けられており、収納機構４０には、当該収納機構４０により収納部材１６に収納された紙葉類の情報を記憶部１６ｍに書き込む情報書き込み部４０ｗが設けられている。より具体的には、情報書き込み部４０ｗは、貨幣釣銭機２０のシリアル番号や、収納部材１６に収納された紙葉類の情報、具体的には紙葉類の券種（紙幣、有価証券（例えば小切手や商品券）、ＩＤ媒体（例えばレシート）等）や金種（紙葉類が紙幣である場合）、券種毎や金種毎の収納枚数、正損情報、記番号等を書き込むようになっている。このことにより、収納部材１６がエアシュータ１４によって出納室１７に送られたときに、出納室１７において記憶部１６ｍに書き込まれた情報を読み取ることによりこの収納部材１６に収納された紙葉類の情報を確認することができるようになる。また、記憶部１６ｍに書き込まれた情報と、貨幣釣銭機２０の制御部６０から送信された情報とを比較することにより、収納部材１６に収納された紙葉類の在高の照合を行うことができる。また、エアシュータ搬送モードで搬送される紙葉類の明細を手入力することにより、または伝票等のバーコードを読み取ることにより、紙葉類の情報を入力し、この入力された情報を用いて金庫１２側で紙葉類の在高の確認を行うことができる。この際に、入力された情報を収納部材１６の記憶部１６ｍに記憶させてもよい。
【００７０】
また、貨幣釣銭機２０には制御部６０が設けられており、この制御部６０は、（ａ）投入口２２により筐体２０ａの内部に投入された紙葉類を識別部２６により識別し、識別部２６による識別情報に基づいて紙葉類を収納機構４０、釣銭収納繰出部３０および投出口２８のいずれか一つに搬送する入金モード（図８のＳＴＥＰ１の「ＹＥＳ」）、および（ｂ）投入口２２により筐体２０ａの内部に投入された紙葉類を識別部２６により識別せず、直接的に収納機構４０に搬送するエアシュータ搬送モード（図８のＳＴＥＰ１４の「ＹＥＳ」）、のうちのいずれか一方のモードを実行するようになっている。このため、エアシュータ１４により全ての紙葉類を貨幣釣銭機２０から金庫１２に搬送したい場合には、エアシュータ搬送モードを選択することにより、貨幣釣銭機２０における紙葉類の処理時間を短縮することができる。
【００７１】
また、本実施の形態の貨幣釣銭機２０においては、当該貨幣釣銭機２０とは別の装置、具体的には例えば金庫１２から、貨幣釣銭機２０において釣銭として使用される紙幣が収納された収納部材１６がエアシュータ１４により貨幣釣銭機２０に搬送されるようになっていてもよい。この場合には、金庫１２から貨幣釣銭機２０に搬送された収納部材１６から紙幣を取り出し、この取り出された紙幣を貨幣釣銭機２０内に釣銭として収納させることができるようになる。
【００７２】
また、本実施の形態の貨幣処理システム１０は、上述のような貨幣釣銭機２０と、貨幣釣銭機２０に接続されたエアシュータ１４と、エアシュータ１４に接続された、貨幣釣銭機２０とは別の装置、具体的には例えば金庫１２と、を備えている。そして、収納部材１６がエアシュータ１４により貨幣釣銭機２０から別の装置（金庫１２等）に搬送されるようになっている。
【００７３】
また、本実施の形態の貨幣処理方法は、貨幣釣銭機２０の内部に投入された紙葉類のうち少なくとも一部の紙葉類を収納機構４０に送る工程と、収納機構４０により、貨幣釣銭機２０に接続されたエアシュータ１４により搬送されるべき収納部材１６に、収納機構４０に送られた紙葉類を収納する工程と、を備えている。
【００７４】
なお、本実施の形態による貨幣釣銭機２０、貨幣処理システム１０および貨幣処理方法は、上記の態様に限定されるものではなく、様々の変更を加えることができる。
【００７５】
例えば、図３（ａ）〜（ｃ）に示すような収納部材１６において、スリット１６ａや開口１６ｃを塞ぐ扉が設けられているとともに、この扉がスリット１６ａや開口１６ｃを塞いだときに扉を閉止状態でロックするロック部が設けられていてもよい。このような例について図９を用いて説明する。図９に示すような収納部材１６において、開口１６ｃおよび扉１６ｂは、図３（ｃ）に示すものと同様の構成のものとなっている。ここで、図９に示すような収納部材１６では、各扉１６ｂが開口１６ｃを塞いだときに当該扉１６ｂを閉止状態でロックするロック部１６ｄが設けられている。そして、ロック部１６ｄによる扉１６ｂのロックは、所定の条件でしか解除することができないようになっている。具体的には、金庫１２および貨幣釣銭機２０にそれぞれ設けられたロック解除部（図示せず）のみにより、ロック部１６ｄによる扉１６ｂのロックが解除されるようになっている。このようなロック部１６ｄが収納部材１６に設けられていることにより、収納部材１６から紙葉類が第三者等により故意に取り出されてしまうことを防止することができ、セキュリティ性を向上させることができる。
【００７６】
また、貨幣釣銭機２０において入金処理が行われる際に、識別部２６により識別された紙葉類が一旦一時保留部３２に保留され、一時保留部３２から繰り出された紙葉類が収納機構４０、釣銭収納繰出部３０または投出口２８に搬送される代わりに、識別部２６により識別された紙葉類は一時保留部３２に搬送されずに直接的に収納機構４０、釣銭収納繰出部３０または投出口２８に搬送されるようになっていてもよい。この場合、収納機構４０は、識別部２６から直接的に送られた紙葉類を収納部材１６に収納することとなる。
【００７７】
また、収納部材１６として、図１０に示すような、区分けされた複数の収納空間１６ｅ、１６ｆ、１６ｇを有するものを用いてもよい。この場合、図１０に示すように、収納機構４０は、収納部材１６の各収納空間１６ｅ、１６ｆ、１６ｇにそれぞれ紙葉類Ｓを収納することができるような構成となっている。このことにより、収納部材１６に紙葉類Ｓを例えば券種別や金種別に収納することができるようになる。
【００７８】
また、貨幣釣銭機２０において投出口２８とは別にリジェクト口（図示せず）が設けられていてもよい。この場合、識別部２６により識別された紙葉類のうちリジェクト紙葉類はリジェクト口に搬送されるようになり、一方、釣銭として釣銭収納繰出部３０から繰り出された紙幣は投出口２８に搬送されるようになる。
【００７９】
また、本実施の形態による貨幣釣銭機２０は、図２に示すような構成のものに限定されることはなく、代わりに、図１１に示すような構成のものとすることもできる。図１１に示すような貨幣釣銭機２０ｍでは、図２に示すようなエアシュータ１４に接続された収納機構４０は設けられておらず、代わりに、筐体２０ａ内において搬送部２４に接続された収納機構４１が用いられている。この収納機構４１は、当該収納機構４１により紙葉類が収納された収納部材１６を筐体２０ａの外部に取出可能なように構成されている。図１１に示すような貨幣釣銭機２０ｍについて以下に詳細に説明する。なお、図１１に示すような貨幣釣銭機２０ｍにおいて、図２に示す貨幣釣銭機２０と同一のまたは類似する構成要素については同じ参照符号を付し、その説明を省略する。
【００８０】
図１１に示すような貨幣釣銭機２０ｍでは、収納部材１６を収容するための収容部３８が筐体２０ａ内に設けられている。収容部３８は筐体２０ａに設けられた開口を介して当該筐体２０ａの外部からアクセス可能となっており、筐体２０ａの外部から収納部材１６を収容部３８内に収容させることができるとともに、収容部３８に収容された収納部材１６を筐体２０ａの外部から取り出すことができるようになっている。また、収容部３８の開口にはシャッター（図示せず）が設けられており、このシャッターにより収容部３８の開口が開閉されるようになっていてもよい。
【００８１】
収納機構４１には、搬送部２４から送られた紙葉類が積層状態で集積される集積部４１ｂが設けられている。また、収納機構４１には、当該集積部４１ｂに集積された複数の紙葉類を一括して収容部３８側に（図１１の矢印に示す方向に）押し出す押し出し部材４１ａが設けられている。そして、搬送部２４から収納機構４１に紙葉類が１枚ずつ搬送され、１または複数の紙葉類が集積部４１ｂに集積された後、押し出し部材４１ａが図１１の矢印に示す方向に移動することにより集積部４１ｂに集積された紙葉類が収容部３８側に押し出され、収容部３８に収容された収納部材１６に１または複数の紙葉類が収納されるようになっている。
【００８２】
次に、図１１に示すような貨幣釣銭機２０ｍの動作について以下に説明する。
【００８３】
操作者は、まず、空の収納部材１６を収容部３８に収容する。次に、紙葉類を投入口２２に投入する。投入口２２に投入された紙葉類は、繰出機構２２ａにより筐体２０ａの内部に繰り出され、選択的に識別部２６により識別される。そして、貨幣釣銭機２０ｍにおいて釣銭として使用される紙幣以外の紙葉類は搬送部２４から収納機構４１に送られ、この収納機構４１の集積部４１ｂに積層状態で集積される。その後、投入口２２に投入された紙葉類が全て筐体２０ａの内部に繰り出され、収納機構４１、釣銭収納繰出部３０または投出口２８に搬送されると、収納機構４１の押し出し部材４１ａが図１１の矢印に示す方向に移動し、集積部４１ｂに集積された紙葉類が押し出し部材４１ａにより収容部３８側に押し出され、収容部３８に収容された収納部材１６に１または複数の紙葉類が収納される。
【００８４】
その後、操作者は収容部３８から収納部材１６を取り出し、この取り出された収納部材１６を、貨幣釣銭機２０ｍの近傍におけるエアシュータ１４の端部にセットする。エアシュータ１４の端部に収納部材１６がセットされた後、エアシュータ１４は、紙葉類が収納された収納部材１６を空気圧により貨幣釣銭機２０ｍから金庫１２に搬送する。その後、出納室１７において当該金庫１２に搬送された収納部材１６から紙葉類が取り出され、この取り出された紙葉類は金庫１２に収納される。
【００８５】
このように、図１１に示すような貨幣釣銭機２０ｍによれば、収納機構４１は筐体２０ａ内において搬送部２４に接続されており、当該収納機構４１はエアシュータ１４から離間しており、収納機構４１は、この収納機構４１により紙葉類が収納された収納部材１６を筐体２０ａの外部に取出可能なように構成されているので、操作者が紙幣や有価証券等の紙葉類に直接手を触れずに当該紙葉類をエアシュータ１４により貨幣釣銭機２０ｍから他の装置に搬送することができるようになり、セキュリティ性を向上させることができる。
【００８６】
また、本発明の貨幣釣銭機は、紙幣や有価証券等を含む紙葉類を処理するものに限定されることはない。本発明の貨幣釣銭機として、紙葉類ではなく硬貨の処理を行うものを用いてもよい。以下、釣銭として紙幣ではなく硬貨を出金するような貨幣釣銭機について図１２を用いて説明する。
【００８７】
図１２に示すように、貨幣釣銭機７０は、略直方体形状の筐体７０ａと、筐体７０ａの外部から内部に硬貨を投入するための投入口７２と、筐体７０ａの内部に設けられ、投入口７２から投入された硬貨が収納されるとともに収納された硬貨を１枚ずつ繰り出す繰出部７３と、筐体７０ａの内部に設けられ、繰出部７３により繰り出された硬貨を１枚ずつ搬送する搬送部７４と、を備えている。図１２に示すように、エアシュータ１４の端部は、貨幣釣銭機７０の筐体７０ａの外側面の近傍に設けられている。あるいは、エアシュータ１４の端部は、貨幣釣銭機７０の筐体７０ａの外側面に取り付けられていてもよい。
【００８８】
また、搬送部７４には識別部７６が設けられており、この識別部７６により、繰出部７３から繰り出された硬貨の識別が選択的に行われるようになっている。また、筐体７０ａの内部には例えば６つの釣銭収納繰出部８０が設けられており、各釣銭収納繰出部８０には搬送部７４から硬貨が金種別に送られるようになっている。各釣銭収納繰出部８０の下方には搬送ベルト７５が設けられており、釣銭の出金処理を行う際には、各釣銭収納繰出部８０に収納された硬貨が搬送ベルト７５に送られるようになっている。搬送ベルト７５の端部には投出口７８が設けられており、各釣銭収納繰出部８０から搬送ベルト７５に送られた硬貨は搬送ベルト７５により投出口７８に搬送されるようになっている。操作者は、投出口７８に送られた硬貨を筐体７０ａの外部に取り出すことができるようになっている。
【００８９】
また、搬送部７４において識別部７６の下流側にはリジェクト硬貨シュート７４ａが設けられており、識別部７６により識別することができなかった硬貨や、識別部７６により識別されたがリジェクトすべきであると判断されたリジェクト硬貨は、搬送部７４からリジェクト硬貨シュート７４ａに送られ、このリジェクト硬貨シュート７４ａにより搬送ベルト７５に直接送られるようになっている。すなわち、リジェクト硬貨は各釣銭収納繰出部８０に収納されることなく、投出口７８に送られるようになっている。
【００９０】
また、筐体７０ａの内部において搬送部７４の下流側端部には収納機構８２が接続されている。この収納機構８２は、搬送部７４から送られた硬貨を、貨幣釣銭機７０の近傍におけるエアシュータ１４の端部に待機しており当該エアシュータ１４により搬送されるべき収納部材１６に、収納するようになっている。より詳細には、収納機構８２はエアシュータ１４の端部に接続されており、当該収納機構８２は、この収納機構８２により硬貨が収納された収納部材１６が直接的にエアシュータ１４により搬送されるよう構成されている。
【００９１】
収納機構８２の構成についてより具体的に説明すると、この収納機構８２には搬送部７４から送られた硬貨が一時的に保留されるようになっている。そして、繰出部７３に収納された硬貨が当該繰出部７３から全て繰り出されると、収納機構８２に一時的に保留された１または複数の硬貨は、当該収納機構８２に設けられた押し出し部材（図示せず）により収納部材１６に一括して送られるようになっている。
【００９２】
貨幣釣銭機７０には、貨幣釣銭機２０の制御部６０の同様の構成を有する制御部（図示せず）が設けられており、この制御部により貨幣釣銭機７０の各構成要素の制御が行われるようになっている。貨幣釣銭機７０の制御部において、硬貨の処理モードとして、入金モード、出金モードおよびエアシュータ搬送モードがそれぞれ予め設けられている。ここで、入金モードとは、投入口７２により筐体７０ａの内部に投入された硬貨を識別部７６により識別し、識別部７６による識別情報に基づいて硬貨を収納機構８２、釣銭収納繰出部８０および投出口７８のいずれか一つに搬送するモードのことをいう。また、出金モードとは、釣銭収納繰出部８０から釣銭としての硬貨を搬送ベルト７５に送り、搬送ベルト７５により硬貨を投出口７８に搬送するモードのことをいう。また、エアシュータ搬送モードとは、投入口７２により筐体７０ａの内部に投入された硬貨を識別部７６により識別せず、直接的に収納機構８２に搬送するモードのことをいう。貨幣釣銭機７０における入金処理、出金処理およびエアシュータ搬送モードに係る処理では、図８のフローチャートに示すような図２の貨幣釣銭機２０における入金処理、出金処理およびエアシュータ搬送モードに係る処理とほぼ同様の動作が行われるようになっている。
【００９３】
次に、エアシュータ１４の動作について説明する。貨幣釣銭機７０の近傍におけるエアシュータ１４の端部に待機している収納部材１６に硬貨が収納された後、エアシュータ１４は、硬貨が収納された収納部材１６を空気圧により貨幣釣銭機７０から金庫１２に搬送する。その後、出納室１７において当該金庫１２に搬送された収納部材１６から硬貨が取り出され、この取り出された硬貨は貨幣釣銭機７０とは別の装置、具体的には例えば金庫１２に収納される。また、図１２に示すような貨幣釣銭機７０においては、当該貨幣釣銭機７０とは別の装置、具体的には例えば金庫１２から、貨幣釣銭機７０において釣銭として使用される硬貨が収納された収納部材１６がエアシュータ１４により貨幣釣銭機７０に搬送されるようになっていてもよい。この場合には、金庫１２から貨幣釣銭機７０に搬送された収納部材１６から硬貨を取り出し、この取り出された硬貨を貨幣釣銭機７０内に釣銭として収納させることができるようになる。
【００９４】
図１２に示すような貨幣釣銭機７０によれば、エアシュータ１４により搬送されるべき収納部材１６に、搬送部７４から送られた硬貨を収納する収納機構８２が設けられている。このため、収納機構８２により、搬送部７４から送られた硬貨が収納部材１６に自動的に収納され、硬貨が収納された収納部材１６はエアシュータ１４により貨幣釣銭機７０から他の装置に搬送されるようになるので、操作者が硬貨に直接手を触れずに当該硬貨をエアシュータ１４により貨幣釣銭機７０から他の装置に搬送することができるようになり、セキュリティ性を向上させることができる。
【００９５】
なお、釣銭として硬貨を出金する貨幣釣銭機は、図１２に示すような構成のものに限定されることはなく、代わりに、図１３に示すような構成のものとすることもできる。図１３に示すような貨幣釣銭機７０ｍでは、図１２に示すようなエアシュータ１４に接続された収納機構８２は設けられておらず、代わりに、エアシュータ１４から離間しており、筐体７０ａ内において搬送部７４に接続された収納機構８３が用いられている。この収納機構８３は、当該収納機構８３により硬貨が収納された収納部材１６を筐体７０ａの外部に取出可能なように構成されている。図１３に示すような貨幣釣銭機７０ｍについて以下に詳細に説明する。なお、図１３に示すような貨幣釣銭機７０ｍにおいて、図１２に示す貨幣釣銭機７０と同一のまたは類似する構成要素については同じ参照符号を付し、その説明を省略する。
【００９６】
図１３に示すような貨幣釣銭機７０ｍでは、収納部材１６を収容するための収容部８４が筐体７０ａ内に設けられている。収容部８４は筐体７０ａに設けられた開口を介して当該筐体７０ａの外部からアクセス可能となっており、筐体７０ａの外部から収納部材１６を収容部８４内に収容させることができるとともに、収容部８４に収容された収納部材１６を筐体７０ａの外部から取り出すことができるようになっている。また、収容部８４の開口にはシャッター（図示せず）が設けられており、このシャッターにより収容部８４の開口が開閉されるようになっていてもよい。
【００９７】
収納機構８３には、搬送部７４から送られた硬貨が一時的に保留される一時保留部８３ｂが設けられている。また、収納機構８３には、当該一時保留部８３ｂに保留された複数の硬貨を一括して収容部８４側に（図１３の矢印に示す方向に）押し出す押し出し部材８３ａが設けられている。そして、搬送部７４から収納機構８３に搬送された硬貨が一時保留部８３ｂに保留された後、押し出し部材８３ａが図１３の矢印に示す方向に移動することにより一時保留部８３ｂに保留された硬貨が収容部８４側に押し出され、収容部８４に収容された収納部材１６に１または複数の硬貨が収納されるようになっている。
【００９８】
次に、図１３に示すような貨幣釣銭機７０ｍの動作について以下に説明する。
【００９９】
操作者は、まず、空の収納部材１６を収容部８４に収容する。次に、硬貨を投入口７２に投入する。投入口７２に投入された硬貨は繰出部７３に送られ、この繰出部７３から搬送部７４に１枚ずつ繰り出され、選択的に識別部２６により識別される。そして、貨幣釣銭機７０ｍにおいて釣銭として使用される硬貨以外の硬貨は搬送部７４から収納機構８３に送られ、この収納機構８３の一時保留部８３ｂに保留される。その後、繰出部７３から全ての硬貨が搬送部７４に繰り出され、収納機構８３、釣銭収納繰出部８０または投出口７８に搬送されると、収納機構８３の押し出し部材８３ａが図１３の矢印に示す方向に移動し、一時保留部８３ｂに保留された硬貨が押し出し部材８３ａにより収容部８４側に押し出され、収容部８４に収容された収納部材１６に１または複数の硬貨が収納される。
【０１００】
その後、操作者は収容部８４から収納部材１６を取り出し、この取り出された収納部材１６を、貨幣釣銭機７０ｍの近傍におけるエアシュータ１４の端部にセットする。エアシュータ１４の端部に収納部材１６がセットされた後、エアシュータ１４は、硬貨が収納された収納部材１６を空気圧により貨幣釣銭機７０ｍから金庫１２に搬送する。その後、出納室１７において当該金庫１２に搬送された収納部材１６から硬貨が取り出され、この取り出された硬貨は金庫１２に収納される。
【０１０１】
このように、図１３に示すような貨幣釣銭機７０ｍによれば、収納機構８３は筐体７０ａ内において搬送部７４に接続されており、当該収納機構８３はエアシュータ１４から離間しており、収納機構８３は、この収納機構８３により硬貨が収納された収納部材１６を筐体７０ａの外部に取出可能なように構成されるので、操作者が硬貨に直接手を触れずに当該硬貨をエアシュータ１４により貨幣釣銭機７０ｍから他の装置に搬送することができるようになり、セキュリティ性を向上させることができる。
【符号の説明】
【０１０２】
１０  貨幣処理システム
１２  金庫
１４  エアシュータ
１６  収納部材
１６ａ  スリット
１６ｂ  扉
１６ｃ  開口
１６ｄ  ロック部
１６ｅ、１６ｆ、１６ｇ  収納空間
１６ｍ  記憶部
１７  出納室
１８  レジライン
２０、２０ｍ  貨幣釣銭機
２０ａ  筐体
２２  投入口
２２ａ  繰出機構
２４  搬送部
２６  識別部
２８  投出口
３０  釣銭収納繰出部
３２  一時保留部
３８  収容部
４０  収納機構
４０ｗ  情報書き込み部
４１  収納機構
４１ａ  押し出し部材
４１ｂ  集積部
４２  搬送ベルト
４４  羽根車
４６  対向ローラ
４８  集積部
５０  押し出し部材
５２  収納繰出機構
５４  搬送機構
６０  制御部
６２  インターフェース
７０、７０ｍ  貨幣釣銭機
７０ａ  筐体
７２  投入口
７３  繰出部
７４  搬送部
７４ａ  リジェクト硬貨シュート
７５  搬送ベルト
７６  識別部
７８  投出口
８０  釣銭収納繰出部
８２  収納機構
８３  収納機構
８３ａ  押し出し部材
８３ｂ  一時保留部
８４  収容部
【図１】
2011159017.tif 000003
【図２】
2011159017.tif 000004
【図３】
2011159017.tif 000005
【図４】
2011159017.tif 000006
【図５】
2011159017.tif 000007
【図６】
2011159017.tif 000008
【図７】
2011159017.tif 000009
【図８】
2011159017.tif 000010
【図９】
2011159017.tif 000011
【図１０】
2011159017.tif 000012
【図１１】
2011159017.tif 000013
【図１２】
2011159017.tif 000014
【図１３】
2011159017.tif 000015